【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
フォーカスレンズの合焦状態を位相差方式で検出する第１の焦点検出手段と、
被写体からの光を光電変換して画像データを生成する撮像手段と、
フォーカスレンズの合焦状態を画像データを用いたコントラスト方式で検出する第２の焦点検出手段と、
前記被写体からの光を前記第１の焦点検出手段に導く第１光路と前記撮像手段に導く第２光路とを切り替える光路切替手段と、
前記画像データから前記被写体の顔を検出する顔検出手段と、
ライブビューモードの間、画像を表示する表示手段と、
画像データを前記表示手段に逐次表示する前記ライブビューモードを設定する設定手段と、
前記ライブビューモードにおいて、シャッタ−スイッチが押されると、合焦状態を前記コントラスト方式で検出した後に、前記光路切替手段が前記第１光路に切り替え、前記光路切替手段が前記第１光路を設定した後、前記第１の焦点検出手段が合焦状態を前記位相差方式で検出し、前記第１の焦点検出手段が合焦状態を前記位相差方式で検出した後、前記光路切替手段が前記第２光路に切り替え、前記光路切替手段が前記第２光路を設定した後、前記顔検出手段に前記被写体の顔を検出させるよう制御する制御手段と、を有することを特徴とする撮像装置。
【請求項２】
前記制御手段は、前記光路切替手段が前記第２光路を設定するように制御する際、前記第１の焦点検出手段の検出結果に基づいて前記フォーカスレンズを移動させて焦点調節を行うことを特徴とする請求項１に記載の撮像装置。
【請求項３】
前記第１の焦点検出手段の検出結果を記憶するメモリを更に有し、
前記制御手段は、前記顔検出手段が検出した顔の位置に適合する焦点検出視野における焦点検出の結果を前記メモリから読み出し、当該焦点検出の結果に基づいて前記フォーカスレンズを移動させて焦点調節を行うことを特徴とする請求項１又は２に記載の撮像装置。
【請求項４】
前記第１の焦点検出手段による焦点検出の指示を受け付ける受付手段を更に有し、
前記受付手段が焦点検出の指示を受けた場合には、前記制御手段は、前記第１光路を設定するように前記光路切替手段を制御して前記第１の焦点検出手段による検出を行わせ、その後、前記第２光路を設定するように前記光路切替手段を制御して前記顔検出手段による顔検出を行わせることを特徴とする請求項１に記載の撮像装置。
【請求項５】
静止画撮影の指示を受け付ける撮影指示手段を更に有し、
前記受付手段が焦点検出の指示を受けた後、所定時間以内に、前記撮影指示手段が静止画撮影の指示を受け付けた場合には前記第１の焦点検出手段による焦点検出を行わずに静止画撮影を行い、
前記受付手段が焦点検出の指示を受けた後、前記所定時間以内に、前記撮影指示手段が静止画撮影の指示を受け付けなかった場合には前記第１の焦点検出手段による焦点検出を行うことを特徴とする請求項１に記載の撮像装置。
【請求項６】
前記第１の焦点検出手段の検出結果を記憶するメモリと、
焦点調節動作を起動する焦点調節起動手段と、
静止画撮影モードを設定するモード設定手段と、
を更に有し、
前記モード設定手段が静止画撮影モードを設定した後で前記焦点調節起動手段が前記焦点調節動作を起動すると、前記制御手段は主被写体の焦点検出視野の情報を取得して焦点調節を行い、その後、顔検出手段が検出した顔の位置に前記焦点検出視野が適合しているかどうかを判断し、適合していれば合焦信号を出力し、適合していなければ前記メモリから適合する焦点検出視野の情報を取得して焦点調節を行った後で前記合焦信号を出力し、前記制御手段が前記合焦信号を出力した後で静止画撮影が行われることを特徴とする請求項１に記載の撮像装置。
【請求項７】
静止画を連写する連写モードを設定するモード設定手段を更に有し、
前記連写モードにおいて静止画が撮影された場合、前記制御手段は、前記光路切替手段が前記第１光路を設定するように前記光路切替手段を制御してから前記第１の焦点検出手段による検出、焦点調節及び前記顔検出手段による顔検出を繰り返すことを特徴とする請求項４に記載の撮像装置。
【請求項８】
フォーカスレンズの合焦状態を位相差方式で検出する第１の焦点検出手段と、被写体からの光を光電変換して画像データを生成する撮像手段と、前記被写体からの光を前記第１の焦点検出手段に導く第１光路と前記撮像手段に導く第２光路とを切り替える光路切替手段と、ライブビューモードの間、画像を表示する表示手段と、画像データを前記表示手段に逐次表示する前記ライブビューモードを設定する設定手段と、を有する撮像装置の制御方法であって、
前記画像データから前記被写体の顔を検出する顔検出ステップと、
前記ライブビューモードにおいて、シャッタ−スイッチが押されると、合焦状態を前記コントラスト方式で検出した後に、前記光路切替手段が前記第１光路に切り替え、前記光路切替手段が前記第１光路を設定した後、第１の焦点検出手段が合焦状態を前記位相差方式で検出し、前記第１の焦点検出手段が合焦状態を前記位相差方式で検出した後、前記光路切替手段が前記第２光路に切り替え、前記光路切替手段が前記第２光路を設定した後、前記顔検出ステップにて前記被写体の顔を検出させるよう制御する制御ステップとを有することを特徴とする制御方法。
【手続補正２】
【補正対象書類名】明細書
【補正対象項目名】０００６
【補正方法】変更
【補正の内容】
【０００６】
本発明の一側面としての撮像装置は、フォーカスレンズの合焦状態を位相差方式で検出する第１の焦点検出手段と、被写体からの光を光電変換して画像データを生成する撮像手段と、フォーカスレンズの合焦状態を画像データを用いたコントラスト方式で検出する第２の焦点検出手段と、前記被写体からの光を前記第１の焦点検出手段に導く第１光路と前記撮像手段に導く第２光路とを切り替える光路切替手段と、前記画像データから前記被写体の顔を検出する顔検出手段と、ライブビューモードの間、画像を表示する表示手段と、画像データを前記表示手段に逐次表示する前記ライブビューモードを設定する設定手段と、前記ライブビューモードにおいて、シャッタ−スイッチが押されると、合焦状態を前記コントラスト方式で検出した後に、前記光路切替手段が前記第１光路に切り替え、前記光路切替手段が前記第１光路を設定した後、前記第１の焦点検出手段が合焦状態を前記位相差方式で検出し、前記第１の焦点検出手段が合焦状態を前記位相差方式で検出した後、前記光路切替手段が前記第２光路に切り替え、前記光路切替手段が前記第２光路を設定した後、前記顔検出手段に前記被写体の顔を検出させるよう制御する制御手段と、を有することを特徴とする。
また、本発明の他の側面としての撮像装置の制御方法は、フォーカスレンズの合焦状態を位相差方式で検出する第１の焦点検出手段と、被写体からの光を光電変換して画像データを生成する撮像手段と、前記被写体からの光を前記第１の焦点検出手段に導く第１光路と前記撮像手段に導く第２光路とを切り替える光路切替手段と、ライブビューモードの間、画像を表示する表示手段と、画像データを前記表示手段に逐次表示する前記ライブビューモードを設定する設定手段と、を有する撮像装置の制御方法であって、前記画像データから前記被写体の顔を検出する顔検出ステップと、前記ライブビューモードにおいて、シャッタ−スイッチが押されると、合焦状態を前記コントラスト方式で検出した後に、前記光路切替手段が前記第１光路に切り替え、前記光路切替手段が前記第１光路を設定した後、第１の焦点検出手段が合焦状態を前記位相差方式で検出し、前記第１の焦点検出手段が合焦状態を前記位相差方式で検出した後、前記光路切替手段が前記第２光路に切り替え、前記光路切替手段が前記第２光路を設定した後、前記顔検出ステップにて前記被写体の顔を検出させるよう制御する制御ステップとを有することを特徴とする。